(57)【特許請求の範囲】
【請求項１】
通信回線を介して１の画像情報を複数の送信先に対し一括送信する画像送信装置であって、
前記送信すべき画像情報を取得する画像情報取得部と、
前記画像情報を送信する複数の送信先に関する送信先情報として前記複数の送信先を示す文字列を取得する送信先情報取得部と、
前記画像情報の送信を実行する前に前記取得された画像情報を操作者に確認させるために表示する画像情報表示部と、
前記画像情報表示部による画像情報の表示要否に関する表示要否情報として所定の文字又は文字列を記憶している表示要否情報記憶部と、
前記表示要否情報として記憶されている文字または文字列が前記送信先情報として取得された前記送信先を示す文字列に含まれるか否かに基づいて、該送信先に対して前記画像情報の送信を実行する前に該画像情報を表示すべきと判定し、前記画像情報表示部による画像情報の表示の実行を決定する表示決定部とを有し、
前記表示決定部は、前記複数の送信先のうち、少なくとも１つの送信先に対して前記画像情報の送信を実行する前に該画像情報を表示すべきと判定した場合、前記前記画像情報表示部による画像情報の表示の実行を決定し、
前記画像情報表示部により前記画像情報が表示された後、ユーザにより該画像情報の送信がキャンセルされた場合、前記複数の送信先のうち、前記画像情報の送信を実行する前に該画像情報を表示すべきと判定された送信先に対してのみ、前記画像情報の送信をキャンセルすること、
を特徴とする、画像送信装置。
【請求項２】
前記送信先情報取得部は、電話番号を前記送信先情報として取得し、
前記表示決定部は、前記記憶されている文字または文字列が前記取得された電話番号の先頭の文字または文字列として含まれるか否かに基づいて前記画像情報表示部による前記画像情報の表示の実行を決定することを特徴とする、請求項１に記載の画像送信装置。
【請求項３】
前記送信先情報取得部は、メールアドレスを前記送信先に関する情報として取得し、
前記表示決定部は、前記記憶されている文字または文字列が前記取得されたメールアドレスのドメイン情報として含まれるか否かに基づいて前記画像情報表示部による前記画像情報の表示の実行を決定することを特徴とする、請求項１または２に記載の画像送信装置。
【請求項４】
前記表示要否情報記憶部は、前記送信先情報に対応する情報を記憶しており、
前記表示決定部は、前記取得された送信先情報及び前記表示要否情報記憶部に記憶された情報であって前記取得された送信先情報に対応する情報に基づいて前記画像情報表示部による画像情報の表示の実行を決定することを特徴とする、請求項１乃至３いずれか１項に記載の画像送信装置。
【請求項５】
前記表示要否情報記憶部は、前記送信先情報に対応する情報と前記画像情報表示部による前記画像情報の表示要否を示す情報とを関連付けて記憶しており、
前記表示決定部は、前記取得された送信先情報に対応する情報に関連付けられている前記表示要否を示す情報に基づいて前記画像情報表示部による画像情報の表示の実行を決定することを特徴とする、請求項４に記載の画像送信装置。
【請求項６】
前記表示要否情報記憶部は、前記画像情報表示部による画像情報の表示を実行しない送信先に関する送信先情報に対応する情報を記憶しており、
前記表示決定部は、前記表示要否情報記憶部が前記取得された送信先情報に対応する情報を記憶している場合、前記画像情報表示部による画像情報の表示の省略を決定することを特徴とする、請求項４に記載の画像送信装置。
【請求項７】
前記画像情報表示部が前記画像情報を表示する前に、前記画像情報を確認すべきことを前記操作者に通知する通知部を有することを特徴とする、請求項１乃至６いずれか１項に記載の画像送信装置。
【請求項８】
前記通知部は、前記取得された送信先情報を前記操作者に通知することを特徴とする、請求項７に記載の画像送信装置。
【請求項９】
通信回線を介して１の画像情報を複数の送信先に対し一括送信する画像送信装置の制御方法であって、
前記画像送信装置は、
前記送信すべき画像情報を取得し、
前記画像情報を送信する複数の送信先に関する送信先情報として前記複数の送信先を示す文字列を取得し、
予め記憶されている情報であって前記画像情報の表示要否に関する表示要否情報として所定の文字又は文字列を取得し、
前記表示要否情報として記憶されている文字または文字列が前記送信先情報として取得された前記送信先を示す文字列に含まれるか否かに基づいて、該送信先に対して前記画像情報の送信を実行する前に該画像情報を表示すべきと判定し、前記画像情報の送信を実行する前に前記取得された画像情報を操作者に確認させるために表示することを決定し、
前記決定に基づいて前記画像情報を表示し、
前記決定は、前記複数の送信先のうち、少なくとも１つの送信先に対して前記画像情報の送信を実行する前に該画像情報を表示すべきと判定した場合に決定され、
前記画像情報が表示された後、ユーザにより該画像情報の送信がキャンセルされた場合、前記複数の送信先のうち、前記画像情報の送信を実行する前に該画像情報を表示すべきと判定された送信先に対してのみ、前記画像情報の送信をキャンセルすること、
を特徴とする、画像送信装置の制御方法。
【請求項１０】
請求項９に記載の制御方法を情報処理装置に実行させることを特徴とする制御プログラム。
【請求項１１】
請求項１０に記載の制御プログラムを情報処理装置が読み取り可能な形式で記録したことを特徴とする記録媒体。
【発明の詳細な説明】
【技術分野】
【０００１】
本発明は、画像送信装置、画像送信装置の制御方法、制御プログラム及び記録媒体に関し、特に送信すべき画像のプレビューによる確認の効率化に関する。
【背景技術】
【０００２】
近年、情報の電子化が推進される傾向にあり、電子化された情報の出力に用いられるプリンタやファクシミリ等の画像形成装置、画像処理装置は欠かせない機器となっている。このような画像処理装置は、撮像機能、画像形成機能及び通信機能等を備えることにより、プリンタ、ファクシミリ、スキャナ、複写機等として利用可能な複合機として構成されることが多い。
【０００３】
このような画像処理機能のうちファクシミリ機能において、機密情報の誤送信を回避する方法が提案されている（例えば、特許文献１）。特許文献１に開示された方法においては、ユーザによって原稿の送信が指示された後、実際に原稿を送信する前に、送信する原稿の画像を装置の表示部に表示してユーザに確認させる。装置は、送信すべき原稿の画像全てが表示されたことを条件として、送信を実行するため、ユーザに送信する原稿に機密情報が含まれていないかを確認させることが可能となる。
【特許文献１】特開２００７−１６６２０１号公報
【発明の開示】
【発明が解決しようとする課題】
【０００４】
しかしながら、特許文献１に開示されている方法を用いる場合、送信前に原稿の画像を表示させる機能の適用有無をユーザが選択するため、ユーザがその機能を無効とした場合、目的を達成することが不可能である。また、ユーザによる機能の適用有無を不可能とし、必ず送信前の原稿画像表示を実行する場合、機密情報の漏洩とは成らない宛先、例えば同社内等の宛先への送信においても、画像を確認する必要がある。画像の表示には相応の時間を要することも有り、非効率な処理となってしまう。
【０００５】
尚、このような課題は、画像情報を送信する画像処理装置としてファクシミリが代表的であるが、ネットワークを介して画像情報を送信する装置であれば、同様に課題となり得る。
【０００６】
本発明は、上記実情を考慮してなされたものであり、画像情報を送信する画像処理装置において、機密情報漏洩に対するセキュリティとユーザの利便性とを両立することを目的とする。
【課題を解決するための手段】
【０００７】
上記課題を解決するために、本発明は、通信回線を介して画像情報を送信する画像送信装置であって、前記送信すべき画像情報を取得する画像情報取得部と、前記画像情報を送信する送信先に関する送信先情報として前記送信先を示す文字列を取得する送信先情報取得部と、前記画像情報の送信を実行する前に前記取得された画像情報の内容を操作者に確認させるために表示する画像情報表示部と、前記画像情報表示部による画像情報の表示要否に関する表示要否情報として所定の文字又は文字列を記憶している表示要否情報記憶部と、前記表示要否情報として記憶されている文字または文字列が前記送信先情報として取得された文字列に含まれるか否かに基づいて前記画像情報表示部による画像情報の表示の実行を決定する表示決定部とを有することを特徴とする。
【０００８】
また、本発明は、前記画像送信装置において、前記送信先情報取得部は、電話番号を前記送信先情報として取得し、前記表示決定部は、前記記憶されている文字または文字列が前記取得された電話番号の先頭の文字または文字列として含まれるか否かに基づいて前記画像情報表示部による前記画像情報の表示の実行を決定することを特徴とする。
【０００９】
また、本発明は、前記画像送信装置において、前記送信先情報取得部は、メールアドレスを前記送信先に関する情報として取得し、前記表示決定部は、前記記憶されている文字または文字列が前記取得されたメールアドレスのドメイン情報として含まれるか否かに基づいて前記画像情報表示部による前記画像情報の表示の実行を決定することを特徴とする。
【００１０】
また、本発明は、前記画像送信装置において、前記表示要否情報記憶部は、前記送信先情報に対応する情報を記憶しており、前記表示決定部は、前記取得された送信先情報及び前記表示要否情報記憶部に記憶された情報であって前記取得された送信先情報に対応する情報に基づいて前記画像情報表示部による画像情報の表示の実行を決定することを特徴とする。
【００１１】
また、本発明は、前記画像送信装置において、前記表示要否情報記憶部は、前記送信先情報に対応する情報と前記画像情報表示部による前記画像情報の表示要否を示す情報とを関連付けて記憶しており、前記表示決定部は、前記取得された送信先情報に対応する情報に関連付けられている前記表示要否を示す情報に基づいて前記画像情報表示部による画像情報の表示の実行を決定することを特徴とする。
【００１２】
また、本発明は、前記画像送信装置において、前記表示要否情報記憶部は、前記画像情報表示部による画像情報の表示を実行しない送信先に関する送信先情報に対応する情報を記憶しており、前記表示決定部は、前記表示要否情報記憶部が前記取得された送信先情報に対応する情報を記憶している場合、前記画像情報表示部による画像情報の表示の省略を決定することを特徴とする。
【００１３】
また、本発明は、前記画像送信装置において、前記送信先情報取得部は、複数の前記送信先情報を取得し、前記表示決定部は、前記取得された複数の送信先情報のうち少なくとも１つが前記前記画像情報表示部による画像情報の表示を実行する送信先情報である場合、前記前記画像情報表示部による画像情報の表示の実行を決定することを特徴とする。
【００１４】
また、本発明は、前記画像送信装置において、前記画像情報表示部が前記画像情報の内容を表示する前に、前記画像情報の内容を確認すべきことを前記操作者に通知する通知部を有することを特徴とする。
【００１５】
また、本発明は、前記画像送信装置において、前記通知部は、前記取得された送信先情報を前記操作者に通知することを特徴とする。
【００１６】
また、本発明は、通信回線を介して画像情報を送信する画像送信装置の制御方法であって、前記送信すべき画像情報を取得し、前記画像情報を送信する送信先に関する送信先情報として前記送信先を示す文字列を取得し、予め記憶されている情報であって前記画像情報の表示要否に関する表示要否情報として所定の文字又は文字列を取得し、前記表示要否情報として記憶されている文字または文字列が前記送信先情報として取得された文字列に含まれるか否かに基づいて前記画像情報の送信を実行する前に前記取得された画像情報の内容を操作者に確認させるために表示することを決定し、前記決定に基づいて前記画像情報を表示する事を特徴とする。
【００１７】
また、本発明は、制御プログラムであって、前記制御方法を情報処理装置に実行させることを特徴とする。
【００１８】
また、本発明は、記録媒体であって、前記制御プログラムを情報処理装置が読み取り可能な形式で記録したことを特徴とする。
【発明の効果】
【００１９】
本発明によれば、上記実情を考慮してなされたものであり、画像情報を送信する画像処理装置において、機密情報漏洩に対するセキュリティとユーザの利便性とを両立することが可能となる。
【発明を実施するための最良の形態】
【００２０】
以下、図面を参照して、本発明の実施形態を詳細に説明する。
本実施形態においては、画像情報を送信する画像送信装置としてファクシミリ装置を例とし、ファクシミリ機能を有する画像処理装置を例として説明する。
【００２１】
図１は、本実施形態に係る画像処理装置１のハードウェア構成を示すブロック図である。図１に示すように、本実施形態に係る画像処理装置１は、一般的なサーバやＰＣ（Ｐｅｒｓｏｎａｌ  Ｃｏｍｐｕｔｅｒ）等の情報処理端末と同様の構成を含む。即ち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、エンジン３０、ＲＯＭ（Ｒｅａｄ  Ｏｎｌｙ  Ｍｅｍｏｒｙ）４０、ＮＶＲＡＭ（Ｎｏｎ―Ｖｏｌａｔｉｌｅ  Ｒａｎｄｏｍ  Ａｃｃｅｓｓ  Ｍｅｍｏｒｙ）５０及びＩ／Ｆ６０がバス９０を介して接続されている。また、Ｉ／Ｆ６０にはＬＣＤ（Ｌｉｑｕｉｄ  Ｃｒｙｓｔａｌ  Ｄｉｓｐｌａｙ）７０及び操作部８０が接続されている。
【００２２】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。エンジン３０は、スキャナやプリンタ等の画像処理機能を実行する画像処理エンジンである。ＲＯＭ４０は、読み出し専用の不揮発性記憶媒体であり、ファームウェア等のプログラムが格納されている。
【００２３】
ＮＶＲＡＭ５０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム及びアプリケーション・プログラムの動作パラメータの情報等が格納される。Ｉ／Ｆ６０は、バス９０と各種のハードウェアやネットワーク等を接続し制御する。ＬＣＤ７０は、ユーザが画像処理装置１の状態を確認するための視覚的ユーザインタフェースである。操作部８０は、キーボードやマウス等、ユーザが画像処理装置１に情報を入力するためのユーザインタフェースである。
【００２４】
このようなハードウェア構成において、ＲＯＭ４０やＮＶＲＡＭ５０若しくは図示しないＨＤＤ（Ｈａｒｄ  Ｄｉｓｋ  Ｄｒｉｖｅ）や光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像処理装置１の機能を実現する機能ブロックが構成される。
【００２５】
図２は、本実施形態に係る画像処理装置１の機能構成を示すブロック図である。図２に示すように、本実施例に係る画像処理装置１は、コントローラ１００、ＡＤＦ（Ａｕｔｏ  Ｄｏｃｕｍｅｎｔ  Ｆｅｅｄｅｒ：原稿自動搬送装置）１０１、スキャナユニット１０２、排紙トレイ１０３、ネットワークＩ／Ｆ１０４、ファクシミリＩ／Ｆ１０５、給紙テーブル１０６、プリントエンジン１０７、排紙トレイ１０８及びサブＮＶＲＡＭ１０９を有する。
【００２６】
また、コントローラ１００は、主制御部１１１、エンジン制御部１１２、入出力制御部１１３、画像処理部１１４、操作表示制御部１１５及び宛先記憶部１１６を有する。尚、図２においては、電気的接続を実線の矢印で示しており、用紙の流れを破線の矢印で示している。図２に示すような構成により、本実施形態に係る画像処理装置１は、Ｇ３ファクシミリ通信を行なう機能、ＬＡＮ（Ｌｏｃａｌ  Ａｒｅａ  Ｎｅｔｗｏｒｋ）を介してメール送受信を行なう機能、複写物をプリントアウトする複写機能を備えている。
【００２７】
ネットワークＩ／Ｆ１０４は、画像処理装置１がクライアント端末等の他の機器と通信する際のインタフェースであり、図１に示すＩ／Ｆ６０によって実現される。クライアント端末が送信した印刷ジョブは、ネットワークＩ／Ｆ１０４を介してコントローラ１００に入力され、コントローラ１００の制御に従って印刷ジョブに基づいた画像形成処理が実行される。ファクシミリＩ／Ｆ１０５は、画像処理装置１がファクシミリとして機能する際に、画像情報を公衆回線網に送信するためのインタフェースであり、図１に示すＩ／Ｆ６０によって実現される。
【００２８】
ディスプレイパネル１０９は、画像処理装置１の状態を視覚的に表示する出力インタフェースであると共に、タッチパネルとしてユーザが画像処理装置１を直接操作する際の入力インタフェースでもあり、図１に示すＬＣＤ７０及び操作部８０によって実現される。図３に、本実施形態に係るディスプレイパネル１０９の正面図を示す。
【００２９】
図３に示すように、本実施形態に係るディスプレイパネル１０９は、初期設定キー１９１、コピーキー１９２、ファクスキー１９３、タッチパネル１９４、クリアキー１９５、テンキー１９６、ストップキー１９７及びスタートキー１９８を有する。初期設定キー１９１は、タッチパネル１９４に初期設定画面を表示させ、画像処理装置１の動作モードを初期設定モードとするために押下するキーである。
【００３０】
コピーキー１９２は、ユーザが画像処理装置１を操作して複写動作を制御するためのＧＵＩ（Ｇｒａｐｈｉｃａｌ  Ｕｓｅｒ  Ｉｎｔｅｒｆａｃｅ）をタッチパネル１９４に表示させ、画像処理装置１の動作モードをコピーモードとするために押下するキーである。ファクスキー１９３は、ユーザが画像処理装置１を操作してファクシミリ動作を制御するためのＧＵＩをタッチパネル１９４に表示させ、画像処理装置１の動作モードをファクシミリモードとするために押下するキーである。
【００３１】
タッチパネル１９４は、液晶表示装置等の表示部と当該表示部に対する接触若しくは押下を検知するセンサとして構成される。タッチパネル１９４は、画像処理装置１の操作ガイダンスの表示や、入力情報のフィードバック表示等、画像処理装置１の動作状態に関するメッセージ及びファクシミリ機能により送信すべき原稿の画像を表示する。また、タッチパネル１９４は、ユーザが画像処理装置１に対して情報を入力する入力インタフェースとして機能する。タッチパネル１９４を介した情報入力は、タッチパネル１９４に表示される操作項目をタッチ操作することで行われ、そのユーザのタッチ操作の発生およびタッチ座標等は、タッチパネル１９４を構成するセンサにより検出されて、コントローラ１００に入力される。
【００３２】
スタートキー１９８は、画像処理装置１がスキャナ、ファクシミリ若しくは複写機として動作する際の原稿読取開始を指示するために押下するキーである。ストップキー１９７は、画像処理装置１がユーザに指示に基づいて実行している動作の停止を指令入力するため押下するキーである。テンキー１９６は、電話番号などの数字（数値）情報を入力するために押下するキーである。クリアキー１９５は、テンキー１９６を介して入力した電話番号等を消去するために押下するキーである。
【００３３】
主制御部１１１は、コントローラ１００に含まれる各部を制御する役割を担い、コントローラ１００の各部に命令を与える。エンジン制御部１１２は、プリントエンジン１０７やスキャナユニット１０２等を制御若しくは駆動する駆動手段としての役割を担う。入出力制御部１１３は、ネットワークＩ／Ｆ１０４を介して入力される印刷ジョブ等の情報を主制御部１１１に入力すると共に、主制御部１１１の命令に従ってネットワークＩ／Ｆ１０４を介してネットワークに接続された他の装置に情報を送信する。また、入出力制御部１１３は、ファクシミリＩ／Ｆ１０５を介してファクシミリとして送信された画像情報を受信すると共に、主制御部１１１の命令に従ってファクシミリＩ／Ｆ１０５を介してファクシミリ送信を実行する。
【００３４】
画像処理部１１４は、主制御部１１１の制御に従い、印刷ジョブに含まれる情報等に基づいて描画情報を生成する。この描画情報とは、プリントエンジン１０７が画像形成動作において形成すべき画像を描画するための情報である。また、画像処理部１１４は、スキャナユニット１０２から入力される撮像データを処理し、画像データを生成する。この画像データとは、スキャナ動作の結果物として図示しないＨＤＤに格納され若しくはネットワークＩ／Ｆ１０４を介してクライアント端末等に送信される情報である。
【００３５】
操作表示制御部１１５は、ディスプレイパネル１０９のタッチパネル１９４若しくは各種のキーからユーザによって入力される操作情報を主制御部１１１に入力すると共に、主制御部１１１の命令に従ってディスプレイパネル１０９のタッチパネル１９４に情報表示を行なう。宛先記憶部１１６は、画像処理装置１がファクシミリとして機能し、画像送信を実行する際の宛先に関する情報を記憶している。
【００３６】
図４に、本実施形態に係る宛先記憶部１１６が記憶している情報の例を示す。図４に示すように、本実施形態に係る宛先記憶部１１６においては、夫々の宛先を示す名称が、夫々の宛先を識別するＩＤ、夫々の宛先をディスプレイパネル１０９に表示する際に用いるキー表示名、宛先情報及びその宛先に画像情報を送信する際、送信すべき画像情報の確認画面（プレビュー）の表示要否を示す情報と関連付けられて記憶している。本実施形態に係る宛先情報とは、画像情報を送信する送信先を示す送信先情報である。即ち、宛先記憶部１１６が送信先情報記憶部として機能する。
【００３７】
画像処理装置１がプリンタとして動作する場合は、まず、入出力制御部１１３がホストＩ／Ｆ１０４に接続されたＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）を介して印刷ジョブを受信することにより印刷ジョブが発生する。印刷ジョブが発生すると、画像処理部１１４が主制御部１１１の命令に従い、印刷ジョブ若しくはＨＤＤ等の図示しない記憶媒体に含まれる蓄積文書等の情報に基づいて描画情報を生成する。画像処理部１１４によって生成された描画情報は、順次図示しないＨＤＤにスプールされる。
【００３８】
エンジン制御部１１２は、主制御部１１１の制御に従い、給紙テーブル１０６を駆動して印刷用紙をプリントエンジン１０７に搬送する。また、エンジン制御部１１２は、図示しないＨＤＤにスプールされた描画情報を取得し、プリントエンジン１０７に入力する。プリントエンジン１０７は、エンジン制御部１１２から受信した描画情報に基づき、給紙テーブル１０６から搬送される用紙に対して画像形成を実行する。即ち、プリントエンジン１０７が画像形成部として動作する。プリントエンジン１０７の具体的態様としては、インクジェット方式による画像形成機構や電子写真方式による画像形成機構等を用いることが可能である。プリントエンジン１０７によって画像形成が施された文書は排紙トレイ１０８に排紙される。
【００３９】
画像処理装置１がスキャナとして動作する場合は、ユーザによるディスプレイパネル１０９に設けられたスタートキー１９８の操作若しくはネットワークＩ／Ｆ１０４を介して外部のホスト装置から入力されるスキャン実行指示に応じて入出力制御部１１３が主制御部１１１にスキャン実行信号を送信する。主制御部１１１は、入出力制御部１１３から受信したスキャン実行信号に基づき、エンジン制御部１１２を制御する。エンジン制御部１１２は、ＡＤＦ１０１を駆動し、ＡＤＦ１０１にセットされた撮像対象原稿をスキャナユニット１０２に搬送する。また、エンジン制御部１１２は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１１２の制御に従い、セットされた原稿を撮像する。即ち、スキャナユニット１０２が撮像部として動作する。
【００４０】
撮像動作においては、スキャナユニット１０２に含まれるＣＣＤ等の撮像素子が原稿を光学的に走査し、光学情報に基づいて生成された撮像情報が生成される。エンジン制御部１１２は、スキャナユニット１０２が生成した撮像情報を画像処理部１１４に転送する。画像処理部１１４は、主制御部１１１の制御に従い、エンジン制御部１１２から受信した撮像情報に基づき画像情報を生成する。画像処理部１１４が生成した画像情報は順次図示しないＨＤＤにスプールされる。即ち、エンジン制御部１１２及び画像処理部１１４が連動して画像情報取得部として機能する。画像処理部１１４によって生成され、ＨＤＤにスプールされた画像情報は、ユーザの指示に応じてＨＤＤに格納され若しくは入出力制御部１１３及びネットワークＩ／Ｆ１０４を介して外部のホスト装置に送信される。
【００４１】
また、画像処理装置１が複写機として動作する場合は、エンジン制御部１１２がスキャナユニット１０２から受信した撮像情報若しくは画像処理部１１４が生成しＨＤＤに格納された画像情報に基づき、画像処理部１１４が描画情報を生成する。その描画情報に基づいてプリンタ動作の場合と同様に、エンジン制御部１１２がプリントエンジン１０７を駆動する。また、画像処理装置１がファクシミリとして動作する場合は、上述したスキャン動作の結果画像処理部１１４がファクシミリ送信すべき画像情報を生成し、主制御部１１１が入出力制御部１１３を制御してファクシミリＩ／Ｆ１０５を介して上記生成された画像情報を送信する。
【００４２】
このような画像処理装置１において、本実施形態の要旨は、ファクシミリ機能を実行して画像情報を送信する際、送信すべき画像情報の確認画面（プレビュー）の表示要否をその送信先に基づいて判断することにある。以下、本実施形態に係る画像処理装置１のファクシミリ機能の動作について説明する。図５は、本実施形態に係る画像処理装置１のファクシミリとしての動作を示すフローチャートである。
【００４３】
ユーザがディスプレイパネル１０９のファクスキー１９３を押下することにより、ディスプレイパネル１０９がコントローラ１００の操作表示制御部１１５にファクシミリモードへの遷移を指示する信号が入力される。主制御部１１１は、操作表示制御部１１５がディスプレイパネル１０９から受信した信号の転送を受け、操作表示制御部１１５を制御してディスプレイパネル１０９のタッチパネル１９４に表示するＧＵＩを変更し、情報処理装置１の動作モードがファクシミリモードに遷移する（Ｓ５０１）。
【００４４】
画像処理装置１がファクシミリモードに遷移すると、ユーザはディスプレイパネル１０９を操作して原稿を送信する宛先の情報（宛先情報）を入力する。主制御部１１１は、操作表示制御部１１５を介して、ディスプレイパネル１０９から入力された宛先情報を取得する（Ｓ５０２）。即ち、主制御部１１１及び操作表示制御部１１５が連動して、画像情報を送信する送信先に関する送信先情報を取得する送信先情報取得部として機能する。その後、ユーザがディスプレイパネル１０９のスタートキー１９８を押下することにより、スタート信号が操作表示制御部１１５を介して主制御部１１１に入力され、主制御部１１１は、エンジン制御部１１２を制御してスキャンを実行する（Ｓ５０３）。
【００４５】
画像送信すべき原稿のスキャンが完了すると、主制御部１１１は、Ｓ５０２において取得した宛先情報を参照し、宛先情報記憶部１１６に記憶されている情報に基づいて原稿のプレビューを要する宛先であるか否かを判断する（Ｓ５０４）。即ち、主制御部１１１がプレビューとしての画像情報の表示を決定する表示決定部として機能する。尚、Ｓ５０４における処理は後に詳述する。画像送信する宛先がプレビューを要しない宛先である場合（Ｓ５０４／ＮＯ）、主制御部１１１は、入出力制御部１１３を制御し、ファクシミリＩ／Ｆ１０５を介してスキャンによって生成された画像情報を入力された宛先情報が示す宛先に送信し（Ｓ５０８）、処理を終了する。
【００４６】
他方、画像送信する宛先がプレビューを要する宛先である場合（Ｓ５０４／ＹＥＳ）、主制御部１１１は、操作表示制御部１１５を制御してディスプレイパネル１０９のタッチパネル１９４にプレビュー画面を表示させる（Ｓ５０５）。即ち、主制御部１１１及び操作表示制御部１１５が画像情報表示部として機能する。図６に、本実施形態に係るプレビュー画面の例を示す。本実施形態に係るプレビュー画面は、タッチパネル１９４にＧＵＩとして表示される。図６に示すように、本実施形態に係るプレビュー画面は、プレビュー部９４１、前ページ表示指示部９４２、次ページ表示指示部９４３、送信実行指示部９４４及び送信中止指示部９４５を有する。
【００４７】
プレビュー部９４１は、Ｓ４０３のスキャン動作において生成された画像情報、即ち送信すべき原稿の画像を表示する。前ページ表示指示部９４２は、送信すべき画像が複数ページに亘る場合に、プレビュー部９４１に表示されているページの前のページを表示させるためにタッチする部位である。次ページ表示指示部９４３は、送信すべき画像が複数ページに亘る場合に、プレビュー部９４１に表示されているページの次のページを表示させるためにタッチする部位である。送信実行指示部９４４は、全ページのプレビュー確認後、スキャンした画像の送信の実行を指示するためにタッチする部位である。送信中止指示部９４５は、プレビューの結果、機密情報が含まれることが確認されたことにより、画像送信の中止を指示するためにタッチする部位である。
【００４８】
図６に示すようなプレビュー画面において送信すべき画像を確認した後、ユーザが送信実行指示部９４４をタッチした場合（Ｓ５０６／ＮＯ）、ディスプレイパネル１０９から操作表示制御部１１５に対して送信実行指示信号が入力される。主制御部１１１は、操作表示制御部１１５を介して送信実行指示信号を取得すると、入出力制御部１１３を制御し、ファクシミリＩ／Ｆ１０５を介してスキャンによって生成された画像情報を入力された宛先情報が示す宛先に送信し（Ｓ５０８）、処理を終了する。
【００４９】
図６に示すようなプレビュー画面において送信すべき画像を確認した後、ユーザが送信中止指示部９４５をタッチした場合（Ｓ５０６／ＹＥＳ）、ディスプレイパネル１０９から操作表示制御部１１５に対して送信中止指示信号が入力される。主制御部１１１は、操作表示制御部１１５を介して送信中止指示信号を取得すると、スキャンによって生成され、格納された画像情報を破棄し（Ｓ５０７）、処理を終了する。
【００５０】
このように、本実施形態に係る画像処理装置１の画像送信動作においては、画像情報を送信する宛先に基づいて、プレビューの要否を判断した上で、プレビューが必要であると判断された場合のみプレビューを行なう。これにより、機密情報漏洩に対するセキュリティとユーザの利便性とを両立することが可能となる。ここで、このような効果を有効に得るためには、宛先情報に基づいたプレビュー要否の判断が好適になされる必要がある。以下、本実施形態に係るプレビュー要否の判断について、説明する。
【００５１】
図７は、本実施形態に係るプレビュー要否判断動作、即ち、図５に示すＳ５０４における具体的な動作を示すフローチャートである。図７に示すように、画像送信すべき原稿のスキャンが完了すると（Ｓ７０１）、主制御部１１１は、図５のＳ５０２において取得した宛先情報と一致する宛先情報を宛先記憶部１１６から抽出する（Ｓ７０２）。該当する宛先情報が宛先記憶部１１６に記憶されている場合（Ｓ７０３／ＹＥＳ）、主制御部１１１は、その宛先に関連付けられたプレビュー要否の情報を参照する（Ｓ７０４）。
【００５２】
例えば、図４に示すＩＤ“０３”の宛先情報のようにプレビューの項目が“ＯＦＦ”である場合（Ｓ７０４／ＹＥＳ）、主制御部１１１は、プレビュー不要と判断して（Ｓ７０５）、処理を終了する。図４に示すＩＤ“０１”の宛先情報のように、プレビューの項目が“ＯＮ”である場合（Ｓ７０４／ＮＯ）、主制御部１１１は、プレビュー要と判断して（Ｓ７０６）、処理を終了する。
【００５３】
他方、図５のＳ５０２において取得した宛先情報と一致する宛先情報が、宛先記憶部１１６に記憶されていない場合（Ｓ７０３／ＮＯ）、主制御部１１１は、入力された宛先情報の先頭の文字を参照する（Ｓ７０７）。一般的に、オフィス等から外部へファクシミリや電話を発信する場合、即ち外線発信を行なう場合、発信先である宛先の番号の先頭に“０”を付加して発信することが多い。また、一般的な電話番号は市外局番の先頭が“０”である。本実施形態において、主制御部１１１は、入力された宛先情報の先頭の文字を参照し、先頭の文字列が“００”である場合、即ち外線発信であると推定され得る場合（Ｓ７０８／ＹＥＳ）、プレビュー要と判断して（Ｓ７０６）、処理を終了する。他方、先頭の文字が“００”でない場合、即ち外線発信でないと推定され得る場合（Ｓ７０８／ＮＯ）、主制御部１１１は、プレビュー不要と判断して（Ｓ７０９）、処理を終了する。
【００５４】
このように、本実施形態に係る画像処理装置１においては、宛先記憶部１１６に記憶された情報に基づき、画像を送信すべき宛先がプレビューの必要な宛先であるか否かを判断する。また、本実施形態に係る画像処理装置１は、画像を送信すべき宛先が、宛先記憶部１１６に登録されていない場合、電話番号のような宛先情報としての文字列を参照し、その先頭の文字列が“００”である場合には、外線発信であるとしてプレビューによる機密情報の確認が必要であると判断する。このような態様により、画像情報を送信する画像処理装置において、機密情報漏洩に対するセキュリティとユーザの利便性とを両立することが可能となる。
【００５５】
次に、本実施形態に係る画像処理装置１における、宛先記憶部１１６への宛先情報の登録処理について説明する。図８（ａ）〜（ｄ）は、本実施形態に係る宛先記憶部１１６への宛先情報の登録処理におけるディスプレイパネル１０９の画面遷移を示す図である。ディスプレイパネル１０９において、ユーザが初期設定キー１９１を押下すると、操作表示制御部１１５は、主制御部１１１の制御に従い、図８（ａ）に示す初期設定選択画面をタッチパネル１９４に表示させる。図８（ａ）に示す初期設定選択画面において、“アドレス帳管理”と表示されている部位をユーザがタッチすると、操作表示制御部１１５は、主制御部１１１の制御に従い、図８（ｂ）に示すアドレス帳管理画面をタッチパネル１９４に表示させる。
【００５６】
図８（ｂ）に示すように、アドレス帳管理画面には、既に宛先記憶部１１６に登録されている宛先情報のキー表示名が表示されている。図８（ｂ）に示す登録済みの宛先情報のいずれか若しくは“新規登録”と表示されている部位をユーザがタッチすると、操作表示制御部１１５は、主制御部１１１の制御に従い、図８（ｃ）に示すアドレス帳登録／変更画面をタッチパネル１９４に表示させる。図８（ｃ）に示すように、アドレス帳登録／変更画面には、宛先名称、キー表示名、送信先を夫々入力する入力部及びその宛先への画像送信に際するプレビュー要否を選択する選択部が含まれる。
【００５７】
図８（ｃ）に示すようなアドレス帳登録／変更画面において、“宛先名称変更”や“キー表示名変更”と表示されている部位をユーザがタッチすると、操作表示制御部１１５は、主制御部１１１の制御に従い、図８（ｄ）に示す入力画面をタッチパネル１９４に表示させる。ユーザが、図８（ｄ）に示す入力画面において宛先名称若しくはキー表示名称を入力し、図８（ｄ）に示す“設定”と表示されている部位をタッチすると、タッチパネル１９４の表示が図８（ｃ）に示すアドレス帳登録／変更画面に戻り、入力した宛先名称若しくはキー表示名称が夫々の入力部に表示される。
【００５８】
ユーザは、タッチパネル１９４に表示された操作部やテンキー１９６を操作することにより、図８（ｃ）に示すアドレス帳登録／変更画面において宛先名称、キー表示名、送信先及びプレビュー対象の情報を入力し、“設定”と表示されている部位をタッチする。これにより、宛先情報の登録若しくは変更が完了し、タッチパネル１９４の表示が図８（ｂ）に示すアドレス帳管理画面に戻る。この際、宛先情報を新規に登録した場合、そのキー表示名がアドレス長管理画面に新たに表示される。アドレス帳管理画面において“終了”と表示されている部位をタッチすることにより、タッチパネル１９４の表示が図８（ａ）に示す初期設定画面に戻る。また、図８（ａ）に示す初期設定画面において、“終了”と表示されている部位をタッチすることにより、タッチパネル１９４の表示が図３に示す状態に戻る。このような処理により、宛先記憶部１１６への宛先情報の登録が完了する。
【００５９】
以上説明したように、本実施形態に係る画像処理装置１においては、ファクシミリ機能によって画像送信を行なう場合において、機密情報の漏洩防止を目的とした送信前の画像確認の要否を判断可能とするものであり、その送信先の情報に基づいて画像確認の要否を判断する。これにより、画像情報を送信する画像処理装置において、機密情報漏洩に対するセキュリティとユーザの利便性とを両立することが可能となる。
【００６０】
尚、上記実施形態においては、図５のＳ５０２において、ユーザによるテンキーの操作により宛先情報を入力する例を説明した。この他、宛先記憶部１１６に登録されている宛先情報を読み出して入力することも可能である。これらの態様について、図９（ａ）〜（ｃ）を参照して説明する。図９（ａ）〜（ｃ）は、画像処理装置１においてファクシミリ機能による画像送信を実行する際の、宛先情報の入力時におけるタッチパネル１９４の表示例を示す図である。
【００６１】
ユーザがディスプレイパネル１０９のファクスキー１９３を押下すると、タッチパネル１９４の表示が図９（ａ）に示す送信先入力画面に遷移する。図９（ａ）に示すように、送信先入力画面においては、宛先記憶部１１６に登録されている宛先のキー表示名が表示されている。このような送信先入力画面において、ユーザがディスプレイパネル１０９のテンキー１９６を操作して送信先の番号を入力すると、図９（ｂ）に示すように、入力した番号が送信先入力部に表示される。他方、図９（ａ）に示す画面において、ユーザがタッチパネル１９４に表示されたキー表示名をタッチすると、図９（ｃ）に示すように、タッチしたキー表示名に対応する宛先情報及び宛先名称が送信先入力部に表示される。
【００６２】
このような場合において、図９（ｃ）に示すように、宛先記憶部１１６に登録されている宛先情報を読み出して入力した場合、送信先の情報に加えてプレビューの要否に関する情報も読み出すことが可能である。従って、宛先記憶部１１６に登録されている宛先情報を指定して、ファクシミリの送信先とした場合、図５に示すＳ５０４の判断においては、図７に示す動作を経ることなく、指定された宛先情報のプレビュー要否に基づいて容易に判断することが可能である。
【００６３】
また、上記実施形態においては、図７において説明した通り、宛先記憶部１１６に登録されているか否かの判断（Ｓ７０３）をした上で、宛先として入力された文字列の先頭文字列の判断（Ｓ７０８）を実行する例を説明した。しかしながら、外線発信であればプレビュー要、それ以外であればプレビュー不要という判断であれば、少なくとも上記先頭文字列の判断のみで処理することが可能であるため、宛先記憶部１１６に登録されているか否かの判断（Ｓ７０３）を省略することが可能である。他方、上記説明した宛先記憶部１１６を参照する場合、外線発信であるかそれ以外であるかの判断に加えて、更に精細な判断が可能となる。
【００６４】
また、上記実施形態においては、画像情報を送信する画像処理装置として、ファクシミリとして動作する画像処理装置１を例として説明した。ファクシミリとして画像情報を送信する場合、送信先として入力される情報は電話番号である。この他、送信先としてメールアドレスを入力し、所定のメールアドレスに画像情報を送信する機能においても、本実施形態を適用することが可能である。このような場合、内部への発信であるか外部への発信であるかの判断には、例えばメールアドレスのドメイン名を用いることができる。
【００６５】
また、上記実施形態においては、図４において説明したように、宛先記憶部１１６に、プレビュー要否を示す情報が記憶されており、画像送信の実行時においては、その情報を参照してプレビュー要否を判断する（図７のＳ７０４）例を説明した。この他、例えば、プレビュー対象外の宛先のみ、コントローラ１００内部に記憶しておき、プレビュー要否の判断においては、入力された宛先情報がコントローラ１００内部に記憶されているか否かのみを判断しても良い。このような態様は、例えば、上述したように、メールアドレスに対して画像情報を送信する際に、内部発信に該当するドメイン名を１つ登録しておけば、そのドメイン名のアドレスに対して画像送信を行なう場合は、全てプレビュー対象外として判断されるため、特に効果的である。このような例について、以下に説明する。
【００６６】
図１０は、プレビュー対象外の宛先のみをコントローラ１００内部に記憶しておく態様における画像処理装置１の構成を示すブロック図である。図１０に示す態様は、概ね図１に示す態様と同様である。ここで、図１０に示す態様において、画像処理装置１は、宛先記憶部１１６に替えて対象外宛先記憶部１１７を有する。対象外宛先記憶部１１７は、画像送信時におけるプレビューを不要とする宛先に関する情報を記憶している記憶部である。尚、本実施形態においては、画像情報の送信先として、メールアドレス及び電話番号のいずれかを指定する場合を例として用いる。
【００６７】
図１１は、対象外宛先記憶部１１７に記憶されている情報の例を示す図である。図１１に示すように、本実施形態に係る対象外宛先記憶部１１７には、対象外理由、ドメイン情報及び夫々の対象外宛先情報を識別するＩＤが夫々関連付けられて記憶されている。図１１の例において、例えばＩＤ“０１”において示される対象外宛先情報は、“＊＊＊．ｊｐ”で示されるドメインについては、本社のドメインであるため、内部発信の宛先であり、プレビュー表示は不要であることを示している。また、ＩＤ“０３”において示される対象外宛先情報は、“＊＊＊＊＊＊＊＊”で示される番号については、本社の番号であるため、内部発信の宛先であり、プレビュー表示は不要であることを示している。
【００６８】
図１２は、図１０の態様におけるプレビュー要否の判断処理（図５のＳ５０４）を示すフローチャートである。図１２に示すように、画像送信すべき原稿のスキャンが完了すると（Ｓ１２０１）、主制御部１１１は、図５のＳ５０２において取得した宛先情報をキーとして、対象外宛先記憶部１１７に記憶されている情報を検索する（Ｓ１２０２）。このとき、入力された宛先情報がメールアドレスであれば、ドメイン名の部分をキーとし、入力された宛先情報が電話番号であれば、番号全体をキーとする。
【００６９】
Ｓ１２０２の検索の結果、キーに一致する情報がある場合、即ち、入力された宛先がプレビュー対象外として登録されている場合（Ｓ１２０３／ＹＥＳ）、主制御部１１１は、プレビュー不要と判断して（Ｓ１２０４）、処理を終了する。他方、キーに一致する情報が記憶されていない場合、即ち、入力された宛先がプレビュー対象外として登録されていない場合（Ｓ１２０３／ＮＯ）、主制御部１１１は、入力された宛先情報の先頭の文字を参照する（Ｓ１２０５）。以降の処理は、図７のＳ７０７以降と同様に処理する。このような処理により、プレビュー対象外の宛先を登録するだけで、上記と同様の効果を得ることができる。また、外線発信であっても、例外的にプレビュー対象外とすることも可能となる。
【００７０】
また、上記実施形態においては、画像送信の宛先として一の宛先を指定する場合を例として説明した。しかしながら、実際の画像送信の実行時においては、複数の宛先を指定し、１回のスキャンで複数の宛先に一括して画像送信を実行する場合もあり得る。このような場合、複数指定された夫々の宛先に対して、夫々プレビュー要否を判断することが好ましい。このような例について、以下に説明する。図１３（ａ）〜（ｄ）は、画像情報の送信先として複数の宛先を指定する場合におけるタッチパネル１９４の表示態様を示す図である。
【００７１】
図１３（ａ）に示すように、複数件の宛先を指定可能な場合、図９（ａ）〜（ｃ）において説明した表示に加えて、“件数：０”というように、入力済みの宛先の件数を示す表示が加わる。このような入力画面において、ユーザがテンキー１９６を操作して宛先情報を入力すると、図１３（ｂ）に示すように、タッチパネル１９４の表示において、入力済みの宛先の件数を示す表示が“件数：１”と変化する。また、１件の宛先の入力が完了すると、図１３（ｂ）に示すように、タッチパネル１９４の表示において“宛先追加”という項目が追加される。ユーザが、タッチパネル１９４において“宛先追加”と表示されている部位をタッチすると、図１３（ｃ）に示すように、“件数：１”と表示されたまま、再度宛先情報を入力する画面に遷移する。図１３（ｃ）に示す画面において更に宛先情報を入力すると、図１３（ｄ）に示すように、タッチパネル１９４の表示において、入力済みの宛先の件数を示す表示が“件数：２”と変化する。
【００７２】
次に、図１３（ａ）〜（ｄ）のように複数の宛先を指定する場合の、画像送信動作について説明する。図１４は、本実施形態に係る画像処理装置１において、複数の宛先を指定する場合の画像送信動作を示すフローチャートである。情報処理装置１の動作モードがファクシミリモードに遷移すると（Ｓ１４０１）、ユーザはディスプレイパネル１０９を操作して原稿を送信する宛先の情報（宛先情報）を入力し、主制御部１１１が宛先情報を取得する（Ｓ１４０２）。Ｓ１４０２においては、図１３において説明したように、複数の宛先情報が入力される。
【００７３】
その後、ユーザがディスプレイパネル１０９のスタートキー１９８を押下することにより、スタート信号が操作表示制御部１１５を介して主制御部１１１に入力され、主制御部１１１は、エンジン制御部１１２を制御してスキャンを実行する（Ｓ１４０３）。原稿のスキャンが完了すると、主制御部１１１は、Ｓ１４０２において取得した複数の宛先情報の夫々についてプレビュー要否の判断を実行し、複数の宛先情報にプレビューを要する宛先が含まれるか否かを判断する（Ｓ１４０４）。
【００７４】
入力された全ての宛先情報についてプレビュー要否の判断が完了した結果、プレビューを要する宛先が含まれない場合（Ｓ１４０４／ＮＯ）、主制御部１１１は、入出力制御部１１３を制御し、ファクシミリＩ／Ｆ１０５を介してスキャンによって生成された画像情報を入力された宛先情報が示す宛先に送信し（Ｓ１４０８）、処理を終了する。他方、プレビューを要する宛先が含まれる場合（Ｓ１４０４／ＹＥＳ）、主制御部１１１は、操作表示制御部１１５を制御してディスプレイパネル１０９のタッチパネル１９４にプレビュー画面を表示させる（Ｓ１４０５）。プレビューの表示は、図６において説明した態様と同様に実行する。
【００７５】
図６に示すようなプレビュー画面において送信すべき画像を確認した後、ユーザが送信中止指示部９４５をタッチした場合（Ｓ１４０６／ＹＥＳ）、ディスプレイパネル１０９から操作表示制御部１１５に対して送信中止指示信号が入力される。主制御部１１１は、操作表示制御部１１５を介して送信中止指示信号を取得すると、スキャンによって生成され、格納された画像情報を破棄し（Ｓ１４０７）、処理を終了する。
【００７６】
他方、ユーザが送信実行指示部９４４をタッチした場合（Ｓ１４０６／ＮＯ）、ディスプレイパネル１０９から操作表示制御部１１５に対して送信実行指示信号が入力される。主制御部１１１は、操作表示制御部１１５を介して送信実行指示信号を取得すると、入出力制御部１１３を制御し、ファクシミリＩ／Ｆ１０５を介してスキャンによって生成された画像情報を入力された宛先情報が示す宛先に送信し（Ｓ１４０８）、処理を終了する。このような処理により、複数の宛先を指定する場合においても、画像情報を送信する画像処理装置において、機密情報漏洩に対するセキュリティとユーザの利便性とを両立することが可能となる。
【００７７】
次に、図１４のＳ１４０４におけるプレビュー要否判断について説明する。図１５は、図１４のＳ１４０４におけるプレビュー要否判断の動作を示すフローチャートである。図１５に示すように、画像送信すべき原稿のスキャンが完了すると（Ｓ１５０１）、主制御部１１１は、入力された複数の宛先情報のうち、１つを選択する（Ｓ１５０２）。そして、選択した宛先について、図７において説明した態様と同様に、プレビュー要否の判断を実行する（Ｓ１５０３〜Ｓ１５１０）。
【００７８】
プレビュー要否の判断結果、プレビュー要すると判断された場合（Ｓ１５０７）、主制御部１１１は、入力された複数の宛先には、プレビューを要する宛先が含まれる（Ｓ１４０４／ＹＥＳ）と判断する。他方、プレビューを要しないと判断された場合（Ｓ１５０６  ｏｒ  Ｓ１５１０）、主制御部１１１は、入力された全ての宛先情報についてＳ１５０３以降の処理が完了したかを判断する（Ｓ１５１１）。
【００７９】
全ての宛先情報について処理が完了していなければ（Ｓ１５１１／ＮＯ）、他の宛先情報を選択して（Ｓ１５０２）、処理を繰り返し、全ての宛先情報について処理が完了していれば（Ｓ１５１１／ＹＥＳ）、入力された複数の宛先には、プレビューを要する宛先が含まれない（Ｓ１４０４／ＮＯ）と判断する。このような処理により、複数の宛先が指定された場合であっても、プレビュー要否の判断を好適に実行することが可能となる。
【００８０】
尚、図１４の例においては、送信中止が指示された場合、画像情報を破棄して処理をする例を説明した。この他、プレビューを要する宛先のみ送信をキャンセルし、プレビューを要しない宛先には送信を実行するようにしても良い。この場合、プレビュー要否判断処理においては、図１５において説明したように、プレビューを要する宛先があった場合にプレビューを要する宛先を含むとして処理を終了するのではなく、全ての宛先についてプレビュー要否を判断し、夫々の宛先についてプレビュー要否を示す情報を保持する。これにより、送信中止が指示された場合において、プレビューを要する宛先のみ送信をキャンセルし、プレビューを要しない宛先には送信を実行することができ、ユーザの利便性をより向上することができる。
【００８１】
また、上記の説明においては、指定された宛先がプレビューを要する場合若しくは複数指定された宛先にプレビューを要する宛先が含まれる場合、そのままプレビューを実行する態様を説明した。しかしながら、本実施形態に係るプレビュー機能を知らないユーザが、本実施形態に係る画像処理装置１を操作して画像送信を実行する場合、プレビュー画面が表示されても機密情報を確認することなく送信を実行してしまうことが考えられる。この場合、送信する画像情報に機密情報が含まれるか否かユーザに確認させるというセキュリティ上の目的が達成されない。このような課題は、送信しようとしている画像情報に機密情報が含まれることをユーザに通知するための画面を、プレビュー画面を表示する前に表示することにより解決することができる。
【００８２】
図１６に、送信しようとしている画像情報に機密情報が含まれることをユーザに通知するための画面（通知画面）の表示例を示す図である。図１６に示す画面は、プレビュー画面を表示する前に、主制御部１１１が操作表示制御部１１５を制御することによりディスプレイパネル１０９のタッチパネル１９４に表示される。即ち、主制御部１１１と操作表示制御部１１５とが連動して通知部として機能する。図１６に示すように、タッチパネル１９４に表示される通知画面には、画像情報を送信しようとしている宛先に外部発信となる宛先が含まれること及び機密情報の確認が必要であることが表示される。
【００８３】
また、通知画面には、画像情報の送信先として指定された宛先情報（図１６においては電話番号）が表示される。更に、通知画面には、“プレビュー確認”と表示された部位が含まれ、ユーザがこの部位をタッチすることにより、タッチパネル１９４の表示が図６において説明した表示に切り換わる。このようにすることによって、プレビュー確認する必要がある理由（送信する宛先が、機密情報の漏洩に注意が必要な宛先であること）をユーザに的確に伝えることができる。
【図面の簡単な説明】
【００８４】
【図１】本発明の実施形態に係る画像処理装置のハードウェア構成を示す図である。
【図２】本発明の実施形態に係る画像処理装置の機能構成を示すブロック図である。
【図３】本発明の実施形態に係る画像処理装置のディスプレイパネルを示す図である。
【図４】本発明の実施形態に係る宛先記憶部に記憶されている情報の例を示す図である。
【図５】本発明の実施形態に係る画像処理装置による画像送信動作を示すフローチャートである。
【図６】本発明の実施形態に係るプレビュー表示の表示例を示す図である。
【図７】本発明の実施形態に係るプレビューの要否判断動作を示すフローチャートである。
【図８】本発明の実施形態に係る宛先記憶部への宛先情報の登録若しくは更新処理におけるタッチパネルの表示例を示す図である。
【図９】本発明の実施形態に係る画像処理装置において画像情報を送信する際の宛先を入力する際のタッチパネルの表示例を示す図である。
【図１０】本発明の他の実施形態に係る画像処理装置のハードウェア構成を示す図である。
【図１１】本発明の他の実施形態に係る対象外宛先記憶部に記憶されている情報の例を示す図である。
【図１２】本発明の他の実施形態に係るプレビューの要否判断動作を示すフローチャートである。
【図１３】本発明の他の実施形態に係る画像処理装置において画像情報を送信する際の宛先を入力する際のタッチパネルの表示例を示す図である。
【図１４】本発明の他の実施形態に係る画像処理装置による画像送信動作を示すフローチャートである。
【図１５】本発明の他の実施形態に係るプレビューの要否判断動作を示すフローチャートである。
【図１６】本発明の他の実施形態に係る通知画面の表示例を示す図である。
【符号の説明】
【００８５】
１    画像処理装置
１０    ＣＰＵ
２０    ＲＡＭ
３０    エンジン
４０    ＲＯＭ
５０    ＮＶＲＡＭ
６０    Ｉ／Ｆ
７０    ＬＣＤ
８０    操作部
１００    コントローラ
１０１    ＡＤＦ
１０２    スキャナユニット
１０３    排紙トレイ
１０４    ネットワークＩ／Ｆ
１０５    ファクシミリＩ／Ｆ
１０６    給紙テーブル
１０７    プリントエンジン
１０８    排紙トレイ
１０９    ディスプレイパネル
１１１    主制御部
１１２    エンジン制御部
１１３    入出力制御部
１１４    画像処理部
１１５    操作表示制御部
１１６    宛先記憶部
１１７    対象外宛先記憶部
１９１    初期設定キー
１９２    コピーキー
１９３    ファクスキー
１９４    タッチパネル
１９５    クリアキー
１９６    テンキー
１９７    ストップキー
１９８    スタートキー
９４１    プレビュー部
９４２    前ページ表示指示部
９４３    次ページ表示指示部
９４４    送信実行指示部
９４５    送信中止指示部
【図１】
0004999765.tif 000002
【図２】
0004999765.tif 000003
【図３】
0004999765.tif 000004
【図４】
0004999765.tif 000005
【図５】
0004999765.tif 000006
【図６】
0004999765.tif 000007
【図７】
0004999765.tif 000008
【図８】
0004999765.tif 000009
【図９】
0004999765.tif 000010
【図１０】
0004999765.tif 000011
【図１１】
0004999765.tif 000012
【図１２】
0004999765.tif 000013
【図１３】
0004999765.tif 000014
【図１４】
0004999765.tif 000015
【図１５】
0004999765.tif 000016
【図１６】
0004999765.tif 000017